(57)【特許請求の範囲】
【請求項１】
利用者を被写体として、通常の撮影と、前記通常の撮影とは異なる形式で行われるボーナス撮影とを行う撮影手段と、
前記撮影手段により撮影された画像を印刷する印刷手段と、
通信を行う通信手段と、
前記通信手段の通信状況を確認する通信確認手段と、
前記通信確認手段によって前記通信手段の通信状況が通信可であることが確認された場合には、前記ボーナス撮影において前記通信手段により送信させるための画像を前記撮影手段に撮影させ、前記通信確認手段によって前記通信手段の通信状況が通信不可であることが確認された場合には、前記ボーナス撮影において前記印刷手段により印刷させるための画像を前記撮影手段に撮影させる撮影制御手段と
を備える写真シール機。
【請求項２】
前記通信確認手段は、電源投入時に通信状況の確認を行い、
前記通信確認手段が通信状況を確認した結果を画面に表示することで提示して、前記通信手段による通信状況が通信可である場合に、前記通信手段による通信を行わせるか否かを設定する通信設定手段
をさらに備える請求項１に記載の写真シール機。
【請求項３】
前記通信設定手段により前記通信手段による通信を行わせないと設定された場合、前記撮影制御手段は、設定内容に基づいて、前記撮影手段によりボーナス撮影で撮影された画像に対する合成に用いられる合成用画像を複数の前記合成用画像から選択することで、前記印刷手段により印刷させるための画像の種類を変更させる
請求項２に記載の写真シール機。
【請求項４】
前記撮影制御手段には、前記通常の撮影が終了するまでの時間に適用される第１の制限時間および第２の制限時間が予め設定されており、前記撮影制御手段は、前記第１の制限時間に従って、前記通信手段の通信状況が通信可である場合の前記ボーナス撮影において前記通信手段により送信させるための画像を前記撮影手段に撮影させるか否かを判定し、前記第１の制限時間は、前記通信手段の通信状況が通信不可である場合の前記ボーナス撮影において前記印刷手段により印刷させるための画像を前記撮影手段に撮影させるか否かを判定する前記第２の制限時間よりも長時間に設定される
請求項１乃至３のいずれかに記載の写真シール機。
【請求項５】
利用者を被写体として、通常の撮影と、前記通常の撮影とは異なる形式で行われるボーナス撮影と撮影を行う撮影手段と、前記撮影手段により撮影された画像を印刷する印刷手段と、通信を行う通信手段とを備える写真シール機の処理方法において、
前記通信手段の通信状況を確認し、
前記通信手段の通信状況が通信可であることが確認された場合には、前記ボーナス撮影において前記通信手段により送信させるための画像を前記撮影手段に撮影させ、前記通信手段の通信状況が通信不可であることが確認された場合には、前記ボーナス撮影において前記印刷手段により印刷させるための画像を前記撮影手段に撮影させる
ステップを含む写真シール機の処理方法。
【請求項６】
利用者を被写体として、通常の撮影と、前記通常の撮影とは異なる形式で行われるボーナス撮影と撮影を行う撮影手段と、前記撮影手段により撮影された画像を印刷する印刷手段と、通信を行う通信手段とを備える写真シール機における処理を、コンピュータに実行させるプログラムにおいて、
前記通信手段の通信状況を確認し、
前記通信手段の通信状況が通信可であることが確認された場合には、前記ボーナス撮影において前記通信手段により送信させるための画像を前記撮影手段に撮影させ、前記通信手段の通信状況が通信不可であることが確認された場合には、前記ボーナス撮影において前記印刷手段により印刷させるための画像を前記撮影手段に撮影させる
ステップを含む処理をコンピュータに実行させるプログラム。
【発明の詳細な説明】
【技術分野】
【０００１】
本発明は、写真シール機、写真シール機の処理方法、および、そのプログラムに関し、特に、通信状況に影響されずに利用者を満足させることができるようにした写真シール機、写真シール機の処理方法、および、そのプログラムに関する。
【背景技術】
【０００２】
従来、利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。また、このようなゲームの流れにおいて、撮影、編集、および印刷のそれぞれの工程で所定の制限時間が設定されており、通常の撮影の工程が終了した時点での制限時間の残りが、所定の時間よりも長ければ、通常の撮影以外の撮影（例えば、ボーナス撮影）を行う写真シール機もある。
【０００４】
また、近年では、携帯電話機に撮影画像または編集画像を送信し、送信された画像を携帯電話機の待ち受け画面に設定するなどして楽しむ利用者も多い。
【０００５】
例えば、特許文献１に開示されている写真シール機では、通常の撮影を行う撮影前に、選択内容（例えば、撮影テーマや、明るさ、音楽、背景カーテンなどを選択する処理）の選択が行われる。そして、通常の撮影を行った後に撮影時間が残っていれば、通常の撮影とは異なる選択内容が自動的に選択されたボーナス撮影が行われる。
【０００６】
しかしながら、このような写真シール機では、ボーナス撮影を行っているので、通常の撮影以外のボーナス撮影画像を写真シール紙に印刷することができるが、利用者からの需要が多い、撮影画像または編集画像の中から携帯電話機へ送信する画像を選択させて送信する機能である携帯送信機能がない点で利用者が不満に感じることがあった。
【０００７】
そこで、例えば、特許文献２に開示されている写真シール機では、強制的に通信を無効に設定する他、通信テストの実行結果に基づいて通信の有効または無効が設定され、通信が無効である場合には携帯送信機能を利用させず、通信が有効である場合には携帯送信機能の利用有無を選択させ、携帯送信機能の利用を選択した場合には、携帯送信が行われる。
【先行技術文献】
【特許文献】
【０００８】
【特許文献１】特開２００６−３１７６５５号公報
【特許文献２】特開２００７−１２４５９６号公報
【発明の概要】
【発明が解決しようとする課題】
【０００９】
しかしながら、特許文献２の写真シール機では、通信無効時には、携帯送信機能の代わりに写真シール機で通信機能を用いないミニゲーム（例えば、編集の見本画像閲覧）を行わせるので、通信状況によって利用者の楽しみに落差があり、利用者の満足度が低下することがあった。即ち、利用者の満足度が通信状況の影響を受けてしまっていた。
【００１０】
本発明は、このような状況に鑑みてなされたものであり、通信状況に影響されずに利用者を満足させることができるようにするものである。
【課題を解決するための手段】
【００１１】
本発明の一側面の写真シール機は、利用者を被写体として、通常の撮影と、前記通常の撮影とは異なる形式で行われるボーナス撮影と撮影を行う撮影手段と、前記撮影手段により撮影された画像を印刷する印刷手段と、通信を行う通信手段と、前記通信手段の通信状況を確認する通信確認手段と、前記通信確認手段によって前記通信手段の通信状況が通信可であることが確認された場合には、前記ボーナス撮影において前記通信手段により送信させるための画像を前記撮影手段に撮影させ、前記通信確認手段によって前記通信手段の通信状況が通信不可であることが確認された場合には、前記ボーナス撮影において前記印刷手段により印刷させるための画像を前記撮影手段に撮影させる撮影制御手段とを備える。
【００１２】
本発明の一側面の写真シール機の処理方法は、利用者を被写体として、通常の撮影と、前記通常の撮影とは異なる形式で行われるボーナス撮影と撮影を行う撮影手段と、前記撮影手段により撮影された画像を印刷する印刷手段と、通信を行う通信手段とを備える写真シール機の処理方法であって、前記通信手段の通信状況を確認し、前記通信手段の通信状況が通信可であることが確認された場合には、前記ボーナス撮影において前記通信手段により送信させるための画像を前記撮影手段に撮影させ、前記通信手段の通信状況が通信不可であることが確認された場合には、前記ボーナス撮影において前記印刷手段により印刷させるための画像を前記撮影手段に撮影させるステップを含む。
【００１３】
本発明の一側面のプログラムは、利用者を被写体として、通常の撮影と、前記通常の撮影とは異なる形式で行われるボーナス撮影と撮影を行う撮影手段と、前記撮影手段により撮影された画像を印刷する印刷手段と、通信を行う通信手段とを備える写真シール機における処理を、コンピュータに実行させるプログラムであって、前記通信手段の通信状況を確認し、前記通信手段の通信状況が通信可であることが確認された場合には、前記ボーナス撮影において前記通信手段により送信させるための画像を前記撮影手段に撮影させ、前記通信手段の通信状況が通信不可であることが確認された場合には、前記ボーナス撮影において前記印刷手段により印刷させるための画像を前記撮影手段に撮影させるステップを含む。
【００１４】
本発明の一側面においては、通信手段の通信状況を確認させ、通信手段の通信状況が通信可であることが確認された場合には、ボーナス撮影において送信させるための画像が撮影され、通信手段の通信状況が通信不可であることが確認された場合には、ボーナス撮影において印刷させるための画像が撮影される。
【発明の効果】
【００１５】
本発明の一側面によれば、通信状況に影響されずに利用者を満足させることができる。
【図面の簡単な説明】
【００１６】
【図１】写真シール機の外観の構成例を示す斜視図である。
【図２】写真シール機の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール機の内部の構成例を示すブロック図である。
【図９】写真シール作成ゲームを提供する処理について説明するフローチャートである。
【図１０】通信確認中の画面の例を示す図である。
【図１１】通信状況を通知する画面の例を示す図である。
【図１２】通信機能設定画面の例を示す図である。
【図１３】写真シール機の通信設定処理について説明するフローチャートである。
【図１４】通信有効設定時の写真シール作成ゲームを提供する処理について説明するフローチャートである。
【図１５】通信無効設定時の場合の写真シール作成ゲームを提供する処理について説明するフローチャートである。
【図１６】通信有効設定時の本撮影処理について説明するフローチャートである。
【図１７】携帯送信専用画像を撮影するボーナス撮影の案内画面の例を示す図である。
【図１８】携帯送信専用画像のモデル見本画像の例を示す図である。
【図１９】ライブビュー表示される撮影合成画像の例を示す図である。
【図２０】撮影指示画像の例を示す図である。
【図２１】ボーナス撮影によって得られた携帯送信専用画像の例を示す図である。
【図２２】通通信無効設定時の本撮影処理について説明するフローチャートである。
【図２３】印刷対象画像を撮影するボーナス撮影の案内画面の例を示す図である。
【図２４】印刷対象画像のモデル見本画像の例を示す図である。
【図２５】ライブビュー表示される撮影合成画像の例を示す図である。
【図２６】撮影指示画像の例を示す図である。
【図２７】ボーナス撮影によって得られた印刷対象画像の例を示す図である。
【図２８】写真シール機における時間管理の例を示す図である。
【図２９】写真シール機における時間管理の他の例を示す図である。
【図３０】写真シール機の他の外観の構成例を示す斜視図である。
【図３１】図３０の写真シール機の外観を他の角度からみた斜視図である。
【図３２】事中接客部の構成例を示す図である。
【図３３】図３０の写真シール機の内部の構成例を示すブロック図である。
【図３４】写真シール作成ゲームを提供する処理の他の例について説明するフローチャートである。
【発明を実施するための形態】
【００１７】
以下、本発明を適用した具体的な実施の形態について、図面を参照しながら詳細に説明する。
【００１８】
＜第１の実施の形態＞
［写真シール機の外観構成］
図１は、本発明の一実施形態に係る写真シール機１の外観の構成例を示す斜視図である。
【００１９】
写真シール機１は、撮影や編集等の作業を利用者にゲームとして行わせ、撮影画像や編集済み画像を提供する代わりに利用者より代金を受け取るゲーム機である。写真シール機１はゲームセンタなどの店舗に設置される。利用者は１人であることもあるし、複数人であることもある。
【００２０】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２１】
図１に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００２２】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２３】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００２４】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図２）から構成される。
【００２５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００２７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００２８】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００２９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３０】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３１】
図１に示す編集部１２の構成を正面側の構成とすると、２組の利用者が同時に編集処理を行うことができるように、編集部１２の正面側と背面側には編集処理に用いられる構成がそれぞれ設けられる。
【００３２】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００３３】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３４】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００３５】
図２は、写真シール機１を別の角度から見た斜視図である。
【００３６】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００３７】
図２に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００３８】
ここで、写真シール作成ゲームの流れと、それに伴う利用者の移動について図３を参照して説明する。図３は、写真シール機１を上から見た平面図である。
【００３９】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４０】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４１】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４２】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４３】
画像の印刷が終了したとき、利用者は、事後接客部１３に設けられた排出口からシール紙を受け取り、一連の写真シール作成ゲームを終えることになる。
【００４４】
［各装置の構成］
次に、各装置の構成について説明する。
【００４５】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００４６】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００４７】
正面パネル４１のほぼ中央には撮影・表示ユニット８１が設けられる。撮影・表示ユニット８１は、カメラ９１、正面ストロボ９２、およびタッチパネルモニタ９３から構成される。
【００４８】
カメラ９１は、CCD(Charge Coupled Device)などの撮影素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００４９】
カメラ９１を囲むように発光面が設けられた正面ストロボ９２は、他のストロボと同様にカメラ９１による撮影に合わせて発光し、被写体としての利用者の顔付近を正面から照射する。
【００５０】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５１】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５２】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５３】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、利用者が行っている撮影処理の内容に応じて適宜調整される。
【００５４】
足元ストロボ８６の右側には、利用者がお金を投入する硬貨投入返却口８７が設けられる。
【００５５】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００５６】
図５は、背景部２２の撮影空間Ａ１側の構成例を示す図である。
【００５７】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００５８】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００５９】
図６は、編集部１２の正面側（編集空間Ａ２−１側）の構成例を示す図である。
【００６０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６１】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６２】
編集部１２の左側には事後接客部１３が設けられる。
【００６３】
図７は、事後接客部１３の正面側の構成例を示す図である。
【００６４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００６５】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００６６】
非接触型ICリーダ／ライタ１６３は、近接された非接触型ICと通信を行い、非接触型ICからのデータの読み出しや非接触型ICに対するデータの書き込みを行う。
【００６７】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００６８】
スピーカ１６５は、事後接客処理の案内音声、BGM、効果音等の音を出力する。
【００６９】
［写真シール機の内部構成］
次に、写真シール機１の内部構成について説明する。図８は、写真シール機１の内部の構成例を示すブロック図である。上述した構成と同じ構成には同じ符号を付してある。重複する説明については適宜省略する。
【００７０】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００７１】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００７２】
通信部２０３はインターネットなどのネットワークのインタフェースであり、制御部２０１による制御に従って外部の装置と通信を行う。
【００７３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７４】
ROM２０６には、制御部２０１において実行されるプログラムやデータが記憶されている。RAM２０７は、制御部２０１が処理するデータやプログラムを一時的に記憶する。
【００７５】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００７６】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００７７】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００７８】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００７９】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００８０】
カメラ９１は、制御部２０１による制御に従って撮影を行い、撮影によって得られた画像を制御部２０１に出力する。
【００８１】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００８２】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８３】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００８４】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【００８５】
［写真シール機の動作］
ここで、図９のフローチャートを参照して、写真シール作成ゲームを提供する写真シール機１の処理について説明する。
【００８６】
例えば、写真シール機１の管理者が、写真シール機１のメインスイッチ（図示せず）を操作すると、ステップＳ１１において、写真シール機１に電源が投入され、制御部２０１はプログラムを読み出して実行し、写真シール機１の起動時の処理が開始される。
【００８７】
ステップＳ１２において、制御部２０１は、通信部２０３に対して、通信状況を確認するように制御する。これにより、通信部２０３は、自動的に（管理者による操作に依らず）通信状況を確認する処理を行い、例えば、図示しない近隣のアクセスポイントに対して通信状況確認コマンドを送信し、そのコマンドに対するレスポンスに応じて通信状況を確認する。
【００８８】
また、ステップＳ１２で通信部２０３により通信状況の確認が行われている間、制御部２０１は、通信を確認中であることを示す画面をタッチパネルモニタ９３に表示する。例えば、図１０に示すように、通信を確認中であることを示唆する「通信確認中です。」という文字が表示された画面が、タッチパネルモニタ９３に表示される。
【００８９】
そして、ステップＳ１２において、通信部２０３が通信状況を確認すると、その結果として、通信が可能または不可能であることを示す情報が、通信部２０３から制御部２０１に供給される。
【００９０】
ステップＳ１３において、制御部２０１は、通信部２０３からの情報に基づいて、通信状況を通知する画面をタッチパネルモニタ９３に表示する。通信部２０３が通信状況を確認した結果、通信が可能である場合には、通信が可能であることを示す画面がタッチパネルモニタ９３に表示され、通信が可能でない場合には、通信が不可能であることを示す画面がタッチパネルモニタ９３に表示される。なお、通信状況を通知する画面を表示する処理は、後述するボーナス撮影前に行ってもよい。
【００９１】
例えば、通信が可能である場合、図１１に示すように、通信が可能であることを示唆する「コインを投入して撮影をはじめてね！／通信できる写真シール機だよ！」という文字が表示された画面がタッチパネルモニタ９３に表示される。なお、図示しないが、通信が可能でない場合には、「コインを投入して撮影をはじめてね！」という文字だけが表示された画面がタッチパネルモニタ９３に表示される。
【００９２】
ステップＳ１４において、制御部２０１は、通信部２０３からの情報に基づいて、通信状況が通信可または通信不可のどちらであるかを判定する。
【００９３】
ステップＳ１４において、通信状況が通信可であると判定された場合、ステップＳ１５において、通信有効設定時の写真シール作成ゲーム処理（後述の図１４）が行われる。一方、通信状況が通信不可であると判定された場合、ステップＳ１６において、通信無効設定時の写真シール作成ゲーム処理（後述の図１５）が行われる。
【００９４】
ステップＳ１５またはＳ１６の処理において印刷が終了したとき、ステップＳ１７において、プリンタ２４１は、画像が印刷されたシール紙をシール紙排出口１６４に排出し、処理を終了させる。
【００９５】
このように、写真シール機１では、起動時に、制御部２０１が、通信部２０３により通信状況の確認を行って、通信が可能である場合と、通信が不可能である場合とで、それぞれ異なる写真シール作成ゲーム処理（ステップＳ１５またはＳ１６）が行われる。
【００９６】
なお、起動時に自動的に通信状況を確認する他、例えば、写真シール機１では、写真シール機１のメンテナンスを行うモードであるメンテナンスモードにおいて、通信機能を通信有効または通信無効に設定することができる。
【００９７】
例えば、図１２には、メンテナンスモードにおいてタッチパネルモニタ９３に表示される通信機能設定画面の例が示されている。
【００９８】
図１２に示すように、通信機能設定画面の上辺には、通信機能を設定するための画面であることを示唆する「通信機能設定画面」という文字が表示されている。また、その下方には、通信確認における注意事項として「※通信確認開始ボタンを押下すると、通信状況の確認を行います。」という文字が表示され、その下方に、通信確認開始ボタン２５１と通信確認結果表示部２５２とが配置されている。
【００９９】
通信確認開始ボタン２５１は、通信状況の確認を行わせるときに操作されるボタン（ＧＵＩ部品）であり、管理者が通信確認開始ボタン２５１を操作（タッチ）すると、タッチパネルモニタ９３が管理者による操作を受け付ける。そして、タッチパネルモニタ９３は、通信確認開始ボタン２５１が操作されたことを示す情報を制御部２０１に供給し、制御部２０１は、その操作に従って、通信部２０３に対して通信状況を確認するように制御を行う。
【０１００】
通信部２０３は、制御部２０１の制御に従って通信状況を確認し、その結果として、通信が可能または不可能であることを示す信号を制御部２０１に供給する。これにより、制御部２０１は、通信が可能である場合には、図１２に示すように、通信確認結果表示部２５２に「通信ＯＫ」という文字を表示する。一方、通信が不可能である場合には、図示しないが、通信確認結果表示部２５２には「通信ＮＧ」という文字が表示される。
【０１０１】
また、通信機能設定画面の中央には、通信設定における注意事項として「※通信可に設定すると、ボーナス撮影は携帯送信専用画像の撮影になります。／※通信不可に設定すると、ボーナス撮影は印刷対象画像の撮影になります。」という文字が表示されている。そして、その下方に、通信可設定ボタン２５３、通信不可設定ボタン２５４、および通信設定結果表示部２５５が表示される。
【０１０２】
通信可設定ボタン２５３は、写真シール機１の通信を有効に設定するときに操作されるボタンであり、管理者が通信確認開始ボタン２５１を操作すると、制御部２０１は、写真シール機１の通信が有効であると設定し、その設定を記憶部２０２に記憶させる。なお、図１２に示すように、通信可設定ボタン２５３が操作された場合には、通信可設定ボタン２５３が強調表示（太線の枠で囲われた表示）となる。
【０１０３】
通信不可設定ボタン２５４は、写真シール機１の通信を無効に設定するときに操作されるボタンであり、管理者が通信不可設定ボタン２５４を操作すると、制御部２０１は、写真シール機１の通信が無効であると設定し、その設定を記憶部２０２に記憶させる。通信設定結果表示部２５５には、通信可設定ボタン２５３が操作された場合には、図１２に示すように「通信可」と表示され、通信不可設定ボタン２５４が操作された場合には、図示しないが「通信不可」と表示される。
【０１０４】
なお、通信確認結果が通信不可の場合には、通信可設定ボタン２５３および通信不可設定ボタン２５４に対する操作を行うことはできず、自動的に通信不可と設定される。
【０１０５】
また、通信機能設定画面の下側には、通信が有効または無効に設定されたときに行われるボーナス撮影の種類を表示するボーナス撮影種類表示部２５６が表示される。ボーナス撮影種類表示部２５６には、例えば、写真シール機１の通信が有効に設定されているときには、図１２に示すように「ボーナス撮影は、携帯送信専用画像の撮影になります。」という文字が表示される。
【０１０６】
次に、図１３のフローチャートを参照して、通信機能を設定する写真シール機１の処理について説明する。
【０１０７】
例えば、写真シール機１の管理者が、メンテナンスモードを起動するための起動スイッチを押下すると、ステップＳ２１において、制御部２０１は、メンテナンスモードを起動する。
【０１０８】
ここで、写真シール機１は、例えば、図４の硬貨投入返却口８７が設けられているパネルが開閉可能に構成されており、管理者は、管理用の鍵を使用してパネルのロックを解除し、このパネルを開放することができる。そして、開放された写真シール機１の内部に、メンテナンスモードを起動するための起動スイッチ（図示せず）が配置されている。また、メンテナンスモードとは、写真シール機１に対する各種の設定を行ったり、写真シール機１の動作確認を行ったりするためのモードである。
【０１０９】
ステップＳ２２において、制御部２０１は、通信設定画面をタッチパネルモニタ９３に表示する。通信設定画面には、図１２に示したように、通信確認開始ボタン２５１や、通信可設定ボタン２５３、通信不可設定ボタン２５４などが表示されている。
【０１１０】
そして、管理者が、通信設定画面の通信確認開始ボタン２５１に対する操作を行うと、ステップＳ２３において、制御部２０１は、通信部２０３に対して通信状況を確認するように制御する。通信部２０３は、その制御に従って通信状況を確認し、通信状況を確認した結果として、通信が可能または不可能であることを示す信号を制御部２０１に供給する。
【０１１１】
ステップＳ２４において、制御部２０１は、通信部２０３からの情報に基づいて、写真シール機１が通信可能な状態であるか否かを判定する。
【０１１２】
ステップＳ２４において、通信可能な状態であると判定された場合、制御部２０１は、通信設定画面の通信確認結果表示部２５２に「通信ＯＫ」と表示する。そして、制御部２０１は、ステップＳ２５において、写真シール機１が通信を可能にしたい設置機器であるか否かを判定する。
【０１１３】
例えば、管理者が通信可設定ボタン２５３に対する操作を行った場合、制御部２０１は、写真シール機１が通信を可能にしたい設置機器であると判定し、ステップＳ２６において、写真シール機１を通信機能可に設定し、その設定を記憶部２０２に記憶させる。このとき、制御部２０１は、通信設定画面の通信設定結果表示部２５５に「通信可」と表示する。
【０１１４】
一方、管理者が通信不可設定ボタン２５４に対する操作を行った場合、制御部２０１は、写真シール機１が通信を可能にしたい設置機器でないと判定し、ステップＳ２７において、写真シール機１を通信機能不可に設定し、その設定を記憶部２０２に記憶させる。このとき、制御部２０１は、通信設定画面の通信設定結果表示部２５５に「通信不可」と表示する。
【０１１５】
また、ステップＳ２４において、通信可能な状態でないと判定された場合にも、制御部２０１は、ステップＳ２７において、写真シール機１を通信機能不可に設定し、その設定を記憶部２０２に記憶させる。このとき、制御部２０１は、通信設定画面の通信確認結果表示部２５２に「通信ＮＧ」と表示し、通信設定結果表示部２５５に「通信不可」と表示する。
【０１１６】
ステップＳ２６またはＳ２７の処理後、通信設定処理は終了される。
【０１１７】
以上のように、写真シール機１では、管理者がメンテナンスモードにおいて写真シール機１の通信設定を有効または無効に設定することができる。そして、写真シール機１では、管理者の設定に従って、通信が可能である場合と、通信が不可能である場合とで、それぞれ異なる写真シール作成ゲーム処理が行われる。
【０１１８】
次に、図１４は、図９のステップＳ１５において行われる通信有効設定時の写真シール作成ゲームを提供する処理について説明するフローチャートである。
【０１１９】
ステップＳ３１において、写真シール機１の制御部２０１は、所定の金額分の硬貨が投入されたか否かを硬貨処理部２２１から供給される信号に基づいて判定し、投入されたと判定するまで待機する。
【０１２０】
硬貨が投入されたとステップＳ３１において判定した場合、ステップＳ３２において、制御部２０１は、撮影部２０８を制御し、通信有効設定時の本撮影処理を行う。本撮影処理により、撮影空間Ａ１にいる利用者を被写体として撮影が行われる。通信有効設定時の本撮影処理については図１６のフローチャートを参照して後述する。
【０１２１】
ステップＳ３３において、制御部２０１は被写体の画像処理を行う。被写体の画像処理により、本撮影処理によって得られた撮影画像に写されている被写体に対する各種の処理が行われる。
【０１２２】
ステップＳ３４において、制御部２０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１２３】
ステップＳ３５において、制御部２０１は、編集空間Ａ２−１と編集空間Ａ２−２のうち、撮影処理を終えた利用者の移動先とした方の編集空間のタブレット内蔵モニタ１３１に編集対象画像の選択画面を表示させ、利用者による選択を受け付ける。編集対象画像の選択画面には、本撮影処理によって得られた撮影画像が一覧表示される。
【０１２４】
ステップＳ３６において、制御部２０１は、編集対象画像として選択された撮影画像を記憶部２０２に記憶させて保存する。
【０１２５】
ステップＳ３７において、制御部２０１は、撮影画像の画像処理を行う。撮影画像の画像処理は、編集対象画像として選択された撮影画像に合成する合成用画像を利用者に選択させ、選択された合成用画像を撮影画像に合成する処理である。
【０１２６】
制御部２０１は、編集対象画像として選択された撮影画像とともに合成用画像をタブレット内蔵モニタ１３１に表示し、利用者による選択を受け付ける。合成用画像が利用者により選択されたとき、制御部２０１は、撮影画像に合成用画像を合成し、得られた合成画像をタブレット内蔵モニタ１３１に表示させる。
【０１２７】
ステップＳ３８において、制御部２０１は、編集部２０９Ａまたは編集部２０９Ｂを制御し、編集処理を行う。制御部２０１は、編集画面をタブレット内蔵モニタ１３１に表示させ、利用者による編集操作に従って、編集対象として選択された撮影画像の編集を行う。編集が終了したとき、制御部２０１は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０１２８】
ステップＳ３９において、制御部２０１は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１２９】
ステップＳ４０において、制御部２０１は、事後接客部２１０を制御し、通信有効設定時の事後接客処理を行う。通信有効設定時の事後接客処理としては、例えば、撮影画像や編集済みの画像を携帯端末に送信する処理を事後接客処理として行う場合、制御部２０１は、携帯端末の電子メールアドレスの入力画面や、送信する画像の選択画面をタブレット内蔵モニタ１６１に表示させ、利用者による操作に応じて画像を送信する。
【０１３０】
なお、事後接客処理として、このような携帯送信機能に加えて、ミニゲームを利用者に行わせる処理を事後接客処理として行う場合、制御部２０１は、ミニゲームの画面をタブレット内蔵モニタ１６１に表示させてもよい。アンケートに答えさせる処理を事後接客処理として行う場合、制御部２０１は、アンケート画面をタブレット内蔵モニタ１６１に表示させ、利用者による回答を取得してもよい。
【０１３１】
ステップＳ４１において、制御部２０１は印刷処理を行う。制御部２０１は、利用者により選択された画像をプリンタ２４１に出力してシール紙に印刷させる。ステップＳ４１の処理後、処理は図９のステップＳ１５に戻り、それ以降の処理が行われる。
【０１３２】
次に、図１５は、図９のステップＳ１６において行われる通信不可の場合の写真シール作成ゲームを提供する処理について説明するフローチャートである。
【０１３３】
ステップＳ５１において、写真シール機１の制御部２０１は、所定の金額分の硬貨が投入されたか否かを硬貨処理部２２１から供給される信号に基づいて判定し、投入されたと判定するまで待機する。
【０１３４】
硬貨が投入されたとステップＳ５１において判定した場合、ステップＳ５２において、制御部２０１は、撮影部２０８を制御し、通信無効設定時の本撮影処理を行う。本撮影処理により、撮影空間Ａ１にいる利用者を被写体として撮影が行われる。通信無効設定時の本撮影処理については図２２のフローチャートを参照して後述する。
【０１３５】
ステップＳ５３からステップＳ５９まで、図１４のステップＳ３３からステップＳ３９までと同様の処理が行われ、その説明は省略する。
【０１３６】
ステップＳ６０において、制御部２０１は、事後接客部２１０を制御し、通信無効設定時の事後接客処理を行う。通信無効設定時の事後接客処理としては、通信機能を用いない処理が行われる。例えば、ミニゲームを利用者に行わせる処理を事後接客処理として行う場合、制御部２０１は、ミニゲームの画面をタブレット内蔵モニタ１６１に表示させる。アンケートに答えさせる処理を事後接客処理として行う場合、制御部２０１は、アンケート画面をタブレット内蔵モニタ１６１に表示させ、利用者による回答を取得する。
【０１３７】
また、ミニゲームとして、例えば、利用者に編集済みの画像を投稿させて写真シール機１に保存し、他の利用者が写真シール機１を利用したときに閲覧できるようにしたり、他の利用者が既に投稿して写真シール機１に保存されている編集済み画像を、写真シール機１上で閲覧したりする機能を行わせてもよい。
【０１３８】
ステップＳ６１において、制御部２０１は印刷処理を行う。制御部２０１は、利用者により選択された画像をプリンタ２４１に出力してシール紙に印刷させる。そして、このとき、通信無効設定時の写真シール作成ゲームでは、ボーナス撮影において撮影された印刷対象画像４２４（図２７）の印刷も行われる。ステップＳ６１の処理後、処理は図９のステップＳ１６に戻り、それ以降の処理が行われる。
【０１３９】
次に、図１６のフローチャートを参照して、図１４のステップＳ３２において行われる通信有効設定時の本撮影処理について説明する。
【０１４０】
ステップＳ７１において、制御部２０１は、写り選択画面をタッチパネルモニタ９３に表示させ、利用者による写り選択を受け付ける。写り選択は、色合いやシャープネス等の、撮影画像の画質の選択である。制御部２０１は、利用者により選択された写りに応じて、カメラ９１により撮影された画像の画質を調整する。
【０１４１】
ステップＳ７２において、制御部２０１は、撮影方法の案内画面をタッチパネルモニタ９３に表示させる。撮影方法の案内画面を表示した後、制御部２０１は、カメラ９１を制御し、画像の取り込みを開始させる。
【０１４２】
ステップＳ７３において、制御部２０１は、カメラ９１により取り込まれた動画像をタッチパネルモニタ９３に表示させる（ライブビュー表示を行う）。
【０１４３】
ステップＳ７４において、制御部２０１は、タッチパネルモニタ９３にカウントダウンインジケータを表示し、撮影タイミングを利用者に通知する。
【０１４４】
撮影タイミングになったとき、ステップＳ７５において、制御部２０１は、カメラ９１を制御して撮影を行い、静止画像である撮影画像を取得する。
【０１４５】
ステップＳ７６において、制御部２０１は、撮影画像をタッチパネルモニタ９３に表示し、撮影結果を利用者に確認させる。
【０１４６】
ステップＳ７７において、制御部２０１は、撮影を所定回数繰り返し行ったか否かを判定する。制御部２０１は、撮影を所定回数行っていないとステップＳ７７において判定した場合、ステップＳ７３に戻り、以上の処理を繰り返し行う。
【０１４７】
一方、撮影を６回などの所定の回数繰り返し行ったとステップＳ７７において判定した場合、ステップＳ７８において、制御部２０１は、撮影可能時間内であるか否かを判定する。例えば、本撮影処理を開始してからの時間が、本撮影処理に割り当てられた時間を経過していない場合、撮影可能時間内であるとして判定される。
【０１４８】
ここで、通信有効設定時の本撮影処理では、写真シール機１が利用者の携帯電話機と通信を行って、携帯電話機に送信する画像である携帯送信専用画像がボーナス撮影において撮影される。従って、ステップＳ７８で制御部２０１が判定を行う基準となる撮影可能時間は、携帯送信専用画像を撮影するボーナス撮影を行うことが可能である時間となる。そして、本撮影処理を開始してから所定回数の撮影が終了するまでの時間が、予め設定された撮影所定制限時間内であれば、ボーナス撮影を行うことができる。
【０１４９】
また、写真シール機１では、撮影所定制限時間が長時間に設定されており、この場合、撮影所定制限時間内に所定回数の撮影が終了することが多いと想定され、ボーナス撮影が行われる確率が高くなる。なお、利用者が、例えば、写り選択を制限時間内に行わずに放置したり、撮影案内画面の表示を省略せずに放置したりしたときに、ボーナス撮影が行われない状況、即ち、撮影所定時間内に所定回数の撮影が終了しない状況となる。
【０１５０】
そして、撮影可能時間内であるとステップＳ７８において判定した場合、ステップＳ７９において、制御部２０１は、携帯送信専用画像の撮影を行うボーナス撮影の案内画面をタッチパネルモニタ９３に表示させる。携帯送信専用画像の撮影を行うボーナス撮影は、ステップＳ７５において行われる撮影（以下、適宜、通常撮影と称する）と異なる形式で行われる撮影である。
【０１５１】
例えば、図１７には、タッチパネルモニタ９３に表示されるボーナス撮影の案内画面の例が示されている。図１７に示すように、ボーナス撮影の案内画面には、「Are you ready?／次は全身が撮れる”コーデ撮影”だよ」という文字が表示される。また、ボーナス撮影の案内画面には、撮影用合成用画像の表示領域４１１および４１２が設けられており、表示領域４１１および４１２には、複数枚の携帯送信専用画像用の撮影用合成用画像が表示される。例えば、図１７の例では、撮影用合成用画像の表示領域４１１および４１２には、それぞれ異なる柄の携帯送信専用画像用の撮影用合成用画像が５枚ずつ表示されている。なお、携帯送信専用画像用の撮影用合成用画像は、一般的な携帯電話機のディスプレイの形状に従って、縦長の画像となっている。
【０１５２】
ステップＳ８０において、利用者が、タッチパネルモニタ９３に表示されるボーナス撮影の案内画面の表示領域４１１または４１２に表示されている撮影用合成用画像の中から、所望の撮影用合成用画像を選択すると、制御部２０１は、その選択を受け付ける。そして、制御部２０１は、利用者が選択した撮影用合成用画像を例えば記憶部２０２から読み出す。なお、ボーナス撮影を行う前に撮影用合成用画像を選択させる他、例えば、通常撮影と同様に、ボーナス撮影を行った後に撮影用合成用画像を選択するようにしてもよい。
【０１５３】
ステップＳ８１において、制御部２０１は、モデル見本画像をタッチパネルモニタ９３に表示する。
【０１５４】
例えば、図１８に示すように、タッチパネルモニタ９３には、携帯送信専用画像を撮影するボーナス撮影における画角に応じてモデルが写されたモデル見本画像４１３が表示される。例えば、ステップＳ７５で行われる通常撮影では、アップ（バストアップ）の画角で撮影が行われるのに対し、携帯送信専用画像を撮影するボーナス撮影では、全身（膝下あたり）までの画角で撮影が行われる。従って、モデル見本画像４１３では、全身までの画角で撮影されたモデルが写されており、この画角でボーナス撮影が行われることが示唆されている。
【０１５５】
ステップＳ８２において、制御部２０１は、カメラ９１により取り込まれた動画像の各画像に撮影用合成用画像を合成し、合成結果をタッチパネルモニタ９３に表示させてライブビュー表示を行う。例えば、図１９に示すように、タッチパネルモニタ９３には、カメラ９１により取り込まれた動画像に写されている利用者自身の背景として、ステップＳ８０で選択された撮影用合成用画像が合成された撮影合成画像４１４がライブビュー表示される。
【０１５６】
ステップＳ８３において、制御部２０１はボーナス撮影を行う。すなわち、制御部２０１は、タッチパネルモニタ９３にカウントダウンインジケータを表示し、撮影タイミングを利用者に通知する。このとき、図２０に示すように、タッチパネルモニタ９３には、タッチパネルモニタ９３の上方に配置されているカメラ９１に視線を向けることを指示する「↑カメラを見てね↑」という文字が表示された撮影指示画像４１５が表示される。
【０１５７】
撮影タイミングになったとき、ステップＳ８４において、制御部２０１は、カメラ９１を制御して撮影を行い、撮影画像を取得する。
【０１５８】
ステップＳ８５において、制御部２０１は、ボーナス撮影によって得られた撮影画像をタッチパネルモニタ９３に表示し、撮影結果を利用者に確認させる。即ち、図２１に示すように、タッチパネルモニタ９３には、ボーナス撮影によって得られた撮影画像である携帯送信専用画像４１６が表示される。また、携帯送信専用画像４１６の上方には、画像の確認を促す「こんな風に撮れたよ／Check it!!!」という文字が表示されている。
【０１５９】
ボーナス撮影の結果の確認が行われた後、またはステップＳ７８において撮影可能時間内ではないと判定された場合、図１４のステップＳ３２に戻り、それ以降の処理が行われる。
【０１６０】
なお、通信有効設定時の本撮影処理では、所定枚数（例えば、５枚）の通常撮影が行われた後に、印刷対象画像のボーナス撮影を高確率で行わせ、その後、携帯送信専用画像の撮影を行ってもよい。また、所定枚数（例えば、５枚）の通常撮影が行われた後に、携帯送信専用画像の撮影を行い、その後、通常撮影（例えば、６枚目の撮影）を行ってもよい。
【０１６１】
次に、図２２のフローチャートを参照して、図１５のステップＳ５２において行われる通信無効設定時の本撮影処理について説明する。
【０１６２】
ステップＳ９１からステップＳ９７までの処理は、図１６のステップＳ７１からステップＳ７７までの処理と同様であり、その説明は省略する。
【０１６３】
ステップＳ９８において、制御部２０１は、撮影可能時間内であるか否かを判定する。例えば、本撮影処理を開始してからの時間が、本撮影処理に割り当てられた時間を経過していない場合、撮影可能時間内であるとして判定される。
【０１６４】
ここで、通信無効設定時の本撮影処理では、写真シール機１が利用者の携帯電話機と通信を行うことはないので、ステップＳ９５において行われる通常撮影と同じ形式である印刷対象画像がボーナス撮影において撮影される。従って、ステップＳ９８で制御部２０１が判定を行う基準となる撮影可能時間は、印刷対象画像を撮影するボーナス撮影を行うことが可能である時間となる。そして、本撮影処理を開始してから所定回数の撮影が終了するまでの時間が、予め設定された撮影所定制限時間内であれば、ボーナス撮影を行うことができる。
【０１６５】
また、写真シール機１では、通信無効設定時には、撮影所定制限時間が短時間（通信有効設定時の撮影所定制限時間よりも短時間）に設定されており、この場合、撮影所定制限時間内に所定回数の撮影が終了することが少ないと想定され、ボーナス撮影が行われる確率が低くなる。なお、利用者が、例えば、写り選択を短時間で行ったり、撮影案内画面が表示されてから迅速に表示を省略したりしたとき、ボーナス撮影が行われる状況、即ち、撮影所定時間内に所定回数の撮影が終了する状況となる。
【０１６６】
そして、撮影可能時間内であるとステップＳ９８において判定した場合、ステップＳ９９において、制御部２０１は、印刷対象画像の撮影を行うボーナス撮影の案内画面をタッチパネルモニタ９３に表示させる。例えば、図２３に示すように、ボーナス撮影の案内画面には、「Are you ready?／次も撮影できるよ！！」という文字が表示される。
【０１６７】
ステップＳ１００において、制御部２０１は、例えば、ボーナス撮影で用いることが予め設定された撮影用合成用画像を、記憶部２０２から読み出す。なお、制御部２０１は、ボーナス撮影の前または後で、通常撮影と同様に、複数の撮影用合成用画像を表示して利用者に選択させて、選択された撮影用合成用画像を読み出してもよい。
【０１６８】
ステップＳ１０１において、制御部２０１は、モデル見本画像をタッチパネルモニタ９３に表示する。例えば、図２４に示すように、タッチパネルモニタ９３には、印刷対象画像を撮影するボーナス撮影における画角に応じて、つまり、通常撮影と同じアップの画角で、モデルが写されたモデル見本画像４２１が表示される。従って、モデル見本画像４２１では、顔がアップとなるような画角で撮影されたモデルが写されており、この画角でボーナス撮影が行われることが示唆されている。
【０１６９】
ステップＳ１０２において、制御部２０１は、カメラ９１により取り込まれた動画像の各画像に撮影用合成用画像を合成し、合成結果をタッチパネルモニタ９３に表示させてライブビュー表示を行う。例えば、図２５に示すように、タッチパネルモニタ９３には、カメラ９１により取り込まれた動画像に写されている利用者自身の背景として、ステップＳ１００で読み出した撮影用合成用画像が合成された撮影合成画像４２２がライブビュー表示される。
【０１７０】
ステップＳ１０３において、制御部２０１はボーナス撮影を行う。すなわち、制御部２０１は、タッチパネルモニタ９３にカウントダウンインジケータを表示し、撮影タイミングを利用者に通知する。このとき、図２６に示すように、タッチパネルモニタ９３には、タッチパネルモニタ９３の上方に配置されているカメラ９１に視線を向けることを指示する「↑カメラを見てね↑」という文字が表示された撮影指示画像４２３が表示される。
【０１７１】
撮影タイミングになったとき、ステップＳ１０４において、制御部２０１は、カメラ９１を制御して撮影を行い、撮影画像を取得する。
【０１７２】
ステップＳ１０５において、制御部２０１は、ボーナス撮影によって得られた撮影画像をタッチパネルモニタ９３に表示し、撮影結果を利用者に確認させる。即ち、図２７に示すように、タッチパネルモニタ９３には、ボーナス撮影によって得られた撮影画像である印刷対象画像４２４が表示される。また、印刷対象画像４２４の上方には、画像の確認を促す「こんな風に撮れたよ／Check it!」という文字が表示されている。
【０１７３】
ボーナス撮影の結果の確認が行われた後、またはステップＳ９８において撮影可能時間内ではないと判定された場合、図１５のステップＳ５２に戻り、それ以降の処理が行われる。
【０１７４】
なお、通信無効設定時の本撮影処理では、所定枚数（例えば、６枚）の通常撮影が行われた後に、印刷対象画像のボーナス撮影を高確率で行わせてもよい。
【０１７５】
以上のように、写真シール機１では、通信状況が通信可である場合には、ボーナス撮影で携帯送信専用画像の撮影を行い、通信状況が通信不可である場合には、ボーナス撮影で印刷対象画像の撮影を行うので、通信状況が通信可および通信不可のいずれであっても、利用者に画像を提供することができるので、利用者の満足度を向上させることができる。即ち、通信不可であるときにミニゲームやアンケートなどだけが行われる場合よりも、写真シール機１は、利用者を満足させることができる。
【０１７６】
このように、写真シール機１では、通信状況に影響されることなく利用者の満足度を向上させることができる。
【０１７７】
また、写真シール機１では、写真シール機１の電源を投入したときに通信確認を行う際に、確認結果を表示して通信結果に応じてボーナス撮影の種類を変更することができる。これにより、同一箇所に設置されている写真シール機１であっても、日によって通信状況が異なる場合があり、例えば、営業開始前に電源を投入した際に最新の通信状況を確認することができるので、通信可に限り、携帯送信専用画像のボーナス撮影が行われるようにすることができる。
【０１７８】
さらに、写真シール機１では、図１２を参照して説明したように、通信有効または通信無効の設定を機器ごとに強制的に設定することができる。従って、例えば、起動時に通信可であったとしても、通信を行わせたくない場合（例えば、エラー対応などにより携帯送信機能を行わせなくない場合）には、写真シール機１に通信無効と設定することができる。これにより、営業中に通信状況が不安定になるような場合に、携帯送信専用画像のボーナス撮影が行われたにもかかわらず、通信エラーにより携帯送信専用画像が送信されないという事態が発生することを回避することができる。また、強制的に通信不可に設定された場合には、予め設定された内容に基づいて、印刷対象画像の種類を変更することができ、これにより、通信不可の写真シール機１であっても毎回同じ画像が利用者に提供されることを回避し、利用者をより楽しませることができる。
【０１７９】
なお、写真シール機１では、各工程における所定時間を適切に設定することにより、ボーナス撮影が行われる確率を調整することができる。
【０１８０】
例えば、通信が有効に設定されて携帯送信専用画像のボーナス撮影を行う場合には、高確率でボーナス撮影が行われるように、撮影所定時間を長めに設定してもよい。これにより、殆どの利用者に携帯送信信用画像のボーナス撮影を行わせることができる。例えば、近年、殆どの利用者が携帯送信機能を選択する傾向があり、携帯送信専用画像をボーナス撮影して携帯電話機に送信することにより、携帯送信機能を利用した特別感や面白みがあるゲームを提供することができる。
【０１８１】
また、通信が無効に設定されて印刷対象画像のボーナス撮影を行う場合には、低確率でボーナス撮影が行われるように、撮影所定時間を短めに設定してもよい。これにより、ボーナス撮影が行われない場合には、ボーナス撮影が行われる場合にその後に行われる所定処理（例えば、目サイズおよび明るさの選択）の制限時間を、ボーナス撮影が行われたときよりも長く設定することができ、その後、編集空間への誘導画面を表示し、編集空間へ移動させてもよい。この場合、編集空間に先の利用者が待機している場合に、撮影空間に滞在している利用者を退屈させずに待たせることができる。
【０１８２】
なお、通信が無効に設定されて印刷対象画像のボーナス撮影を行う場合には、ボーナス撮影後の所定処理を終了後、編集空間へ誘導する誘導画面を表示し、利用者を編集空間へ移動させてもよい。この場合、編集空間に先の利用者がいなければ、撮影空間での所定処理終了後すぐに編集空間に案内できるので、写真シール機１の回転率を向上させることができ、特に、稼働率が高く、利用者が多い設置店舗にとって有効である。
【０１８３】
また、この場合、ボーナス撮影の有無によって、被写体の画像処理選択（例えば、目サイズおよび明るさの選択）を撮影空間または編集空間のどちらで行わせてもよい。例えば、ボーナス撮影がない場合には、撮影空間での通常撮影の後に編集空間へ移動させ、編集空間で被写体の画像処理選択を行わせてもよい。これにより、編集空間に先の利用者がいなければ、撮影処理終了後すぐに編集空間に案内できるので、写真シール機１の回転率を向上させることができ、特に、稼働率が高く、利用者が多い設置店舗にとって有効である。
【０１８４】
さらに、この場合、ボーナス撮影後の所定処理を終了した後に、例えば、写真シール作成ゲームの紹介などのガイダンス画面などを表示し、その後、編集空間へ誘導画面を表示し、編集空間へ移動させてもよい。
【０１８５】
以上のように、写真シール機１では、より利用者が楽しむことができるように時間管理が適切に行われる。
【０１８６】
例えば、図２８および図２９には、写真シール機１における時間管理の例が示されている。なお、図２８および図２９に示されている所定時間は、一例であり、この所定時間に限られるものではない。
【０１８７】
図２８に示すように、通信可および通信不可のいずれの場合も、高確率でボーナス撮影が行われるように設定することができる。例えば、高確率でボーナス撮影が発生する条件としては、コイン投入（コインの投入開始から終了までの時間）が２０秒以内で完了することが挙げられる。
【０１８８】
また、図２９に示すように、通信可の場合に、高確率でボーナス撮影が発生する条件としては、コイン投入が２０秒以内で完了することが挙げられる。また、通信不可の場合に、低確率でボーナス撮影が発生する条件としては、撮影コースの写り選択（例えば、ふんわりとした雰囲気での写りと、くっきりとした雰囲気での写りとの選択）までが１０秒以内に完了することが挙げられる。
【０１８９】
＜第２の実施の形態＞
［写真シール機の外観構成］
図３０は、写真シール機１の外観の他の構成例を示す斜視図である。上述した構成と同じ構成には同じ符号を付してあり、以下適宜、その詳細な説明は省略する。
【０１９０】
図３０の写真シール機１は、図１の写真シール機１と同様に、撮影ユニット１１および編集部１２を備えて構成される。一方、図３０の写真シール機１は、撮影ユニット１１および編集部１２の間に事中接客部３０１を備える点で、図１の写真シール機１と異なった構成となっている。
【０１９１】
即ち、図３０に示すように、写真シール機１では、編集部１２と事中接客部３０１が接した状態で設置され、撮影ユニット１１は、編集部１２と事中接客部３０１から離れた位置に設置される。また、正面パネル４１の背面側において、所定の距離だけ離れた位置に、正面パネル４１の背面に対して正面が向くように事中接客部３０１が設けられる。
【０１９２】
事中接客部３０１は、事中接客処理を利用者に行わせる装置である。事中接客処理として、上述した被写体の画像処理が行われる。図３０の写真シール機１の利用者は、撮影処理に含まれる本撮影処理と被写体の画像処理のうち、本撮影処理のみを撮影空間で行い、被写体の画像処理については、事中接客部３０１の正面前方に形成される事中接客空間で行うことになる。
【０１９３】
事中接客部３０１は、所定の厚さを有する板状の筐体を有しており、その背面が編集部１２の右側面に接するように編集部１２に連結して設けられる。事中接客部３０１の正面には、事中接客処理時に利用者により用いられるタブレット内蔵モニタが設けられる。
【０１９４】
事中接客部３０１の上方には連結レール３０２が取り付けられる。連結レールは３本のレール３０２Ａ乃至３０２Ｃを組み合わせて構成される。レール３０２Ａの一端は連結部２３Ａに固定され、他端は、レール３０２Ａの延長上にあるカーテンレール２６のレール２６Ａと接合される。レール３０２Ｂの一端は連結部２３Ｂに固定され、他端は、レール３０２Ｂの延長上にあるカーテンレール２６のレール２６Ｂと接合される。レール３０２Ｃの一端は、レール３０２Ａとレール２６Ａの接合部に接合され、他端は、レール３０２Ｂとレール２６Ｂの接合部に接合される。
【０１９５】
図３０に示す編集部１２の構成を正面側の構成とすると、レール３０２Ｃには、事中接客空間と編集部１２の正面側の編集空間とを仕切る仕切りカーテン３０３Ａ、および、事中接客空間と編集部１２の背面側の編集空間とを仕切る仕切りカーテン３０３Ｂが取り付けられる。仕切りカーテン３０３Ａと３０３Ｂは、事中接客部３０１の正面とほぼ平行に取り付けられる。
【０１９６】
事中接客空間と編集空間を仕切るカーテンが事中接客部３０１の正面とほぼ平行に取り付けられることにより、事中接客部３０１の正面に設けられるタブレット内蔵モニタ１６１などを用いて事中接客処理を終えた利用者は、その向きのまま、編集空間に移動することができる。また、仕切りカーテン３０３Ａと３０３Ｂを、各空間にいる利用者の足元が見える高さに取り付けることによって、編集空間への移動を容易に行わせることができる。仕切りカーテン３０３Ａと３０３Ｂの代わりに、事中接客空間と編集空間を仕切るパネルを設けてもよい。
【０１９７】
図３１は、図３０の写真シール機１を別の角度から見た斜視図である。
【０１９８】
編集部１２の左側面７６には、撮影画像や編集済みの画像が印刷されたシール紙が排出されるシール紙排出口１６４が設けられる。編集部１２の左側面７６の前方の空間が、利用者がシール紙の印刷が終わるのを待つ印刷待ち空間となる。
【０１９９】
図３２は、事中接客部３０１の正面の構成例を示す図である。
【０２００】
事中接客部３０１の構成は、シール紙排出口１６４が設けられていない点を除いて事後接客部１３の構成と同じである。事中接客部３０１の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。
【０２０１】
タブレット内蔵モニタ１６１の下には非接触型ICリーダ／ライタ１６３が設けられ、非接触型ICリーダ／ライタ１６３の下方にはスピーカ１６５が設けられる。非接触型ICリーダ／ライタ１６３は、近接された非接触型ICと通信を行い、非接触型ICからのデータの読み出しや非接触型ICに対するデータの書き込みを行う。スピーカ１６５は、事中接客処理の案内音声、BGM、効果音等の音を出力する。
【０２０２】
［写真シール機の内部構成］
図３３は、図３０の写真シール機１の内部の構成例を示すブロック図である。図８を参照して説明した構成と同じ構成には同じ符号を付してある。重複する説明については適宜省略する。
【０２０３】
事中接客部３５１は、事中接客空間における事中接客処理を行う構成であるタブレット内蔵モニタ１６１、タッチペン１６２Ａ，１６２Ｂ、非接触型ICリーダ／ライタ１６３、およびスピーカ１６５から構成される。
【０２０４】
このように事中接客部３０１を備えた写真シール機１では、撮影部２０８での撮影処理と、編集部２０９Ａまたは編集部２０９Ｂでの編集処理との間で行われる処理を、事中接客部３０１で行わせることができる。
【０２０５】
例えば、図１４のステップＳ３２における通信有効設定時の本撮影処理が終了したとき、タッチパネルモニタ９３に事中接客部３０１への移動を案内する画面を表示させ、事中接客部３０１で、ステップＳ３３の被写体の画像処理を行わせることができる。そして、被写体の画像処理が行われた後、ステップＳ３７において編集部２０９Ａまたは編集部２０９Ｂでの編集処理が行われる。
【０２０６】
同様に、例えば、図１５のステップＳ５２における通信無効設定時の本撮影処理が終了したとき、事中接客部３０１の前方の事中接客空間への移動を案内する画面をタッチパネルモニタ９３に表示させ、事中接客部３０１で、ステップＳ５３の被写体の画像処理を行わせることができる。そして、被写体の画像処理が行われた後、ステップＳ５７において編集部２０９Ａまたは編集部２０９Ｂでの編集処理が行われる。
【０２０７】
このように事中接客部３０１を設けることにより、撮影部２０８において被写体の画像処理が行われていた場合よりも、撮影部２０８に利用者が滞留する時間を短縮することができ、写真シール機１の利用効率を向上させることができる。また、被写体の画像処理を、本撮影処理を行う撮影空間Ａ１とは別の空間である事中接客空間で行わせることにより、被写体の画像処理を利用者に集中して行わせることが可能になる。また、撮影空間Ａ１では本撮影処理のみを行わせることにより、本撮影処理にも利用者を集中させることが可能になる。
【０２０８】
次に、図３４のフローチャートを参照して、写真シール作成ゲームを提供する処理の他の例について説明する。
【０２０９】
例えば、ステップＳ１１１およびＳ１１２において、図９のステップＳ１１およびＳ１２と同様に、写真シール機１に電源が投入されて、自動的に通信状況を確認する処理が行われた後、ステップＳ１１３において、制御部２０１は、通信部２０３が通信状況を確認した結果、通信状況が安定しているか否かを判定する。
【０２１０】
例えば、通信部２０３は、図示しない近隣のアクセスポイントに対して通信状況確認コマンドを複数回送信し、その複数回送信された通信状況確認コマンドに対してレスポンスが戻ってくる回数や、レスポンスが戻ってくるまでの時間に従って、通信状況が安定しているか否かを確認することができる。つまり、レスポンスが戻ってくる回数が少なかったり、レスポンスが戻ってくるまでに時間がかかる場合には、通信状況が不安定であるということができる。例えば、携帯電話機の通信網の状態、または、ゲームの繁忙期などによって通信状況が不安定になることがある。
【０２１１】
ステップＳ１１３において、通信状況が安定していると判定された場合、ステップＳ１１６において、通信有効設定時の写真シール作成ゲーム処理（上述のステップＳ１５と同様の処理）が行われる。
【０２１２】
一方、ステップＳ１１３において、通信状況が安定していないと判定された場合、ステップＳ１１４において、制御部２０１は、通信状況を通知する画面をタッチパネルモニタ９３に表示する。この場合、通信状況を通知する画面には、「電波状態が悪いので携帯送信できない場合がありますが良いですか？」という文字、または、「通信状況によっては携帯送信できない場合がありますが良いですか？」という文字が表示されるとともに、ＯＫボタンおよびＮＧボタンが表示される。
【０２１３】
ステップＳ１１５において、制御部２０１は、通信状況を通知する画面に対する利用者の操作に基づいて、携帯送信ができなくてもよいか否かを判定する。
【０２１４】
例えば、利用者がＯＫボタンを操作（押下）した場合には、制御部２０１は、携帯送信ができなくてもよいと判定し、つまり、通信可に設定して通信状況が不安定であっても携帯送信を行うと判定して、ステップＳ１１６において、通信有効設定時の写真シール作成ゲーム処理（上述のステップＳ１５と同様の処理）が行われる。
【０２１５】
一方、利用者がＮＧボタンを操作（押下）した場合には、制御部２０１は、携帯送信ができないのはよくないと判定し、つまり、通信不可に設定して携帯送信を行わないと判定して、ステップＳ１１７において、通信無効設定時の写真シール作成ゲーム処理（上述のステップＳ１６と同様の処理）が行われる。
【０２１６】
ステップＳ１１６またはＳ１１７の処理において印刷が終了したとき、ステップＳ１１８において、プリンタ２４１は、画像が印刷されたシール紙をシール紙排出口１６４に排出し、処理を終了させる。
【０２１７】
このように、写真シール機１では、通信状況が不安定な場合には、利用者の選択に従って、携帯送信を行うか否かを設定することができ、通信状況が不安定であっても、携帯送信信用画像のボーナス撮影を希望する利用者を満足させることができる。また、通信状況が不安定であれば、確実に取得できる印刷対象画像の選択を希望する利用者を満足させることができる。
【０２１８】
なお、通信状況を通知する画面をタッチパネルモニタ９３に表示する処理は、例えば、ボーナス撮影の前に行ってもよい。
【０２１９】
さらに、例えば、通信が有効に設定されている場合に、携帯送信専用画像のボーナス撮影を行うか否かを利用者に選択させてもよい。これにより、通信有効設定時でも印刷画像のボーナス撮影を行うことを希望する利用者の満足度を向上させることができる。
【０２２０】
なお、本発明の実施の形態は、上述した実施の形態に限定されるものではなく、本発明の要旨を逸脱しない範囲において種々の変更が可能である。
【符号の説明】
【０２２１】
１  写真シール機，  １１  撮影ユニット，  １２  編集部，  １３  事後接客部，  ２１  撮影部，  ２２  背景部
【図１】
0005402977.tif 000002
【図２】
0005402977.tif 000003
【図３】
0005402977.tif 000004
【図４】
0005402977.tif 000005
【図５】
0005402977.tif 000006
【図６】
0005402977.tif 000007
【図７】
0005402977.tif 000008
【図８】
0005402977.tif 000009
【図９】
0005402977.tif 000010
【図１０】
0005402977.tif 000011
【図１１】
0005402977.tif 000012
【図１２】
0005402977.tif 000013
【図１３】
0005402977.tif 000014
【図１４】
0005402977.tif 000015
【図１５】
0005402977.tif 000016
【図１６】
0005402977.tif 000017
【図１７】
0005402977.tif 000018
【図１８】
0005402977.tif 000019
【図１９】
0005402977.tif 000020
【図２０】
0005402977.tif 000021
【図２１】
0005402977.tif 000022
【図２２】
0005402977.tif 000023
【図２３】
0005402977.tif 000024
【図２４】
0005402977.tif 000025
【図２５】
0005402977.tif 000026
【図２６】
0005402977.tif 000027
【図２７】
0005402977.tif 000028
【図２８】
0005402977.tif 000029
【図２９】
0005402977.tif 000030
【図３０】
0005402977.tif 000031
【図３１】
0005402977.tif 000032
【図３２】
0005402977.tif 000033
【図３３】
0005402977.tif 000034
【図３４】
0005402977.tif 000035